(57)【要約】【課題】広い範囲で円滑な医療機器の取引を行うことができる取引支援・仲介システム、及び取引支援・仲介方法を提供する。【解決手段】在庫登録部１０２が、複数の出品者のうち、いずれもの出品者の出品者端末２００から機器情報を受信し、在庫検索部１０３が、当該機器情報を、購入者の購入者端末３００に提供することができる。また、オークション実行部１０６は、複数の購入者の中から、取引対象に係る医療機器を購入できる購入者を決定する。取引支援・仲介システム１は、ネットワークＮＷを介して、広い範囲の出品者と購入者との間で、医療機器の取引を仲介することができる。また、出品者と購入者との間で取引を仲介することによって、両者が直接取引を行う場合に比して、取引の円滑化を図ることができる。以上によって、広い範囲で円滑な医療機器の取引を行うことが可能となる。【選択図】図１
2013088919.tif 000002
【特許請求の範囲】
【請求項１】
複数の出品者と複数の購入者との間でネットワークを介して取引を仲介することによって、医療機器の取引を支援する取引支援・仲介システムであって、
前記出品者の出品者端末から送信される前記医療機器に関する機器情報を受信する機器情報受信部と、
前記医療機器に関する前記機器情報を複数の前記購入者の購入者端末に提供する機器情報提供部と、
前記購入者端末から送信される入力情報に基づいて、前記医療機器を購入する前記購入者を決定する購入者決定部と、
を備えることを特徴とする取引支援・仲介システム。
【請求項２】
過去の取引に基づいて、前記医療機器の相場に関する情報を演算する相場情報演算部を更に備えることを特徴とする請求項１記載の取引支援・仲介システム。
【請求項３】
前記購入者決定部によって前記購入者が決定された後、前記医療機器の製造元に係るメーカーのメーカー端末に取引情報を通知する通知部を備えることを特徴とする請求項１または２記載の取引支援・仲介システム。
【請求項４】
複数の出品者と複数の購入者との間でネットワークを介して取引を仲介することによって、医療機器の取引を支援する取引支援・仲介方法であって、
前記出品者の出品者端末から送信される前記医療機器に関する機器情報を受信する機器情報受信ステップと、
前記医療機器に関する前記機器情報を複数の前記購入者の購入者端末に提供する機器情報提供ステップと、
前記購入者端末から送信される入力情報に基づいて、前記医療機器を購入する前記購入者を決定する購入者決定ステップと、
を備えることを特徴とする取引支援・仲介方法。
【発明の詳細な説明】
【技術分野】
【０００１】
本発明は、取引支援・仲介システム、及び取引支援・仲介方法に関する。
【背景技術】
【０００２】
従来より、医療機器の販売スタイルとして、メーカーやディーラーが医師などの特定ユーザーに対してインターネットや電子メールを介して情報を提供するものが知られている（例えば特許文献１参照）。この販売システムは、多数の医療機器情報をデータベース化し、会員登録されたユーザーに対して電子メールを自動送信するものである。
【先行技術文献】
【特許文献】
【０００３】
【特許文献１】特開２００２−８３２２３号公報
【発明の概要】
【発明が解決しようとする課題】
【０００４】
しかしながら、上述の販売システムは、医療機器の製造元であるメーカーやディーラーと、病院の医師や看護師など特定個人間でのみ用いることができるシステムである。このように、メーカーやディーラーと医師等の間における極めて狭い範囲での取引しか行うことができなかった。一方、実際の医療機器における流通現場では、メーカーやディーラーと医師等の間での取引のみならず、例えば中古業者同士の取引など、あらゆるルートでの取引がなされる場合がある。しかし、医療機器は、車両などの一般的な商品とは違い、用途などが非常に限定されている上、薬事法上の理由などもあり、互いに知っている者同士の出品者と購入者とが、直接取引をするというスタイルが一般的であった。
【０００５】
本発明は、広い範囲で円滑な医療機器の取引を行うことができる取引支援・仲介システム、及び取引支援・仲介方法を提供することを目的とする。
【課題を解決するための手段】
【０００６】
本発明に係る取引支援・仲介システムは、出品者と購入者との間でネットワークを介して取引を仲介することによって、医療機器の取引を支援する取引支援・仲介システムであって、出品者の出品者端末から送信される医療機器に関する機器情報を受信する機器情報受信部と、医療機器に関する機器情報を複数の購入者の購入者端末に提供する機器情報提供部と、購入者端末から送信される入力情報に基づいて、医療機器を購入する購入者を決定する購入者決定部と、を備えることを特徴とする。
【０００７】
本発明に係る取引支援・仲介システムによれば、機器情報受信部が、複数の出品者のうち、いずれもの出品者の出品者端末から機器情報を受信し、機器情報提供部が、当該機器情報を、購入者の購入者端末に提供することができる。また、購入者決定部は、複数の購入者の中から、取引対象に係る医療機器を購入できる購入者を決定する。このように取引支援・仲介システムは、ネットワークを介して、広い範囲の出品者と購入者との間で、医療機器の取引を仲介することができる。これによって、出品者側としては、販売を希望している医療機器を、例えば、自己と直接取引をしたことがあるような購入者に限られず、広い範囲の購入者に対して販売可能となる。一方、購入者側としては、広い範囲の出品者から、医療機器を購入することが可能となる。また、出品者と購入者との間で取引を仲介することによって、両者が直接取引を行う場合に比して、取引の円滑化を図ることができる。以上によって、広い範囲で円滑な医療機器の取引を行うことが可能となる。
【０００８】
また、本発明に係る取引支援・仲介システムは、過去の取引に基づいて、医療機器の相場に関する情報を演算する相場情報演算部を更に備えることが好ましい。医療機器という特殊な取引商品についても、市場での相場を演算することが可能となり、取引を一層円滑に行うことができる。
【０００９】
また、本発明に係る取引支援・仲介システムは、購入者決定部によって購入者が決定された後、医療機器の製造元に係るメーカーのメーカー端末に取引情報を通知する通知部を備えることが好ましい。医療機器の取引を行う場合、薬事法上の理由により、製造元に係るメーカーに承認を得る必要があるが、通知部が当該メーカーのメーカー端末に取引情報を通知することにより、出品者・購入者に代わって、承認に関わる手続きを代行することが可能となる。これにより、取引の実績の無い出品者・購入者に対しても、円滑な取引を提供することができる。
【００１０】
本発明に係る取引支援・仲介方法は、出品者と購入者との間で取引を仲介することによって、医療機器の取引を支援する取引支援・仲介方法であって、出品者の出品者端末から送信される医療機器に関する機器情報を受信する機器情報受信ステップと、医療機器に関する機器情報を複数の購入者の購入者端末に提供する機器情報提供ステップと、購入者端末から送信される入力情報に基づいて、医療機器を購入する購入者を決定する購入者決定ステップと、を備えることを特徴とする。
【００１１】
機器情報受信において、複数の出品者のうち、いずれもの出品者の出品者端末から機器情報を受信し、機器情報提供ステップにおいて、当該機器情報を、購入者の購入者端末に提供することができる。また、購入者決定ステップでは、複数の購入者の中から、取引対象に係る医療機器を購入できる購入者を決定する。この取引支援・仲介方法は、ネットワークを介して、広い範囲の出品者と購入者との間で、医療機器の取引を仲介することができる。これによって、出品者側としては、販売を希望している医療機器を、例えば、自己と直接取引をしたことがあるような購入者に限られず、広い範囲の購入者に対して販売可能となる。一方、購入者側としては、広い範囲の出品者から、医療機器を購入することが可能となる。また、出品者と購入者との間で取引を仲介することによって、両者が直接取引を行う場合に比して、取引の円滑化を図ることができる。以上によって、広い範囲で円滑な医療機器の取引を行うことが可能となる。
【発明の効果】
【００１２】
本発明によれば、広い範囲で円滑な医療機器の取引を行うことができる。
【図面の簡単な説明】
【００１３】
【図１】本発明の実施形態に係る取引支援・仲介システムの構成を示すブロック図である。
【図２】本発明の実施形態に係る取引支援・仲介システムの処理を示すフローチャートである。
【発明を実施するための形態】
【００１４】
以下、本発明に係る取引支援・仲介システムの好適な実施形態を図面に基づいて説明する。なお、各図において、同一要素には同一符号を付して重複する説明を省略する。
【００１５】
図１は、本発明の実施形態に係る取引支援・仲介システム１の構成を示すブロック図である。取引支援・仲介システム１は、医療機器の取引を仲介するシステムである。この取引支援・仲介システム１は、出品者と購入者との間で取引を仲介することによって、医療機器の取引を支援するものである。この取引支援・仲介システム１は、主にＢｔｏＢの取引を支援するものである。図１に示すように、取引支援・仲介システム１は、取引管理サーバ１００と、複数の出品者端末２００と、複数の購入者端末３００と、メーカー端末４００と、を備えている。取引管理サーバ１００、出品者端末２００、購入者端末３００、及びメーカー端末４００は、ネットワークＮＷと接続されており、ネットワークＮＷを介して情報の送受信が可能である。図１において出品者端末２００、購入者端末３００、メーカー端末は登録者数や取り扱い機器の種類に応じて更に増える。出品者端末２００、購入者端末３００及びメーカー端末４００は、ネットワークに接続できるものであればどのような端末でもよく、デスクトップＰＣ、ノートＰＣの他、携帯型の情報端末を用いることもできる。
【００１６】
取引の対象となる対象商品は、医療機器及び医療関連商品である。医療機器及び医療関連商品であれば、対象商品は特に限定されない。例えば、生理学検査機器、負荷機能検査機器、内視鏡検査機器、画像診断器、検体検査機器、消耗品、関連商品、が挙げられる。また、取引商品として、中古品を扱うことができる。また、新品を取引することもできる。出品者は出品者端末２００を操作する者であり、医療機器を所有している者であれば特に限定されず、例えば、メーカー（新品・中古部門）、中古業者、卸・ディーラー、リース会社などが挙げられる。または、出品者は、例えば、大規模病院や、中小・開業医や、専門機関、検査機関などの医療機器のユーザーであってもよい。購入者は、購入者端末３００を操作する者であり、医療機器の購入を希望する者であれば特に限定されず、例えば、卸・ディーラー、中古業者、輸出業者などが挙げられる。または、購入者は、上記のようなユーザーであってもよい（なお実際の販売・賃貸・仲介・支援を行うためには関連法規に基づく免許・届出が必要な場合がある）。
【００１７】
取引管理サーバ１００は、会員管理部１０１と、在庫登録部１０２と、在庫検索部１０３と、相場情報提供部１０４と、オークション実行部１０６と、決済部１０７と、物流支援部１０８と、書類作成部１０９と、薬事通知部１１１と、を備えている。
【００１８】
会員管理部１０１は、本システムを利用可能な会員情報を管理する機能を有する。会員管理部１０１は、各端末からの入力に基づいて会員情報を取得し、機器取引が可能であるか否かを判別した後、会員登録を行うと共に情報管理を行う。ここで登録された会員が、出品者、購入者として本システムの取引に参加することができる。
【００１９】
在庫登録部１０２は、出品者が医療機器の取引を希望しているときに、当該医療機器を取引可能な商品として登録する機能を有している。在庫登録部１０２は、医療機器を出品する出品者の出品者端末２００から送信される機器情報を受信する機能を有している。なお、当該在庫登録部１０２は、出品者の入力に必要な時間・負荷を軽減するため、必要な入力項目の入力支援を行う機能も有する。例えば、過去に取引された機器であれば、当該機器のスペックを取引履歴から取得し、入力支援データとして用いることもできる。
【００２０】
在庫検索部１０３は、購入者が希望する医療機器を検索する機能を有している。在庫検索部１０３は、購入者の購入者端末３００から送信される検索情報を受信し、当該検索情報に基づいて登録されている医療機器の中から、該当するものを検索し、購入者に情報提供する機能を有している。
【００２１】
相場情報提供部１０４は、過去の取引に基づいて、出品された医療機器の相場に関する相場情報を演算し、提供する機能を有している。相場情報提供部１０４は、取引ごとに機器情報や価格などをデータとして蓄積し、当該データに基づいて、新たに登録された医療機器の相場を演算することができる。
【００２２】
オークション実行部１０６は、購入者の購入者端末３００から送信される、入札価格情報などの入力情報に基づいて、医療機器を購入する購入者を決定する機能を有している。すなわち、オークション実行部１０６は、複数の購入者の中から取引対象に係る医療機器を購入することが出来る購入者を決定することができる。具体的な取引の例については後述する。
【００２３】
決済部１０７は、取引成立後に、出品者と購入者との間で、代金の支払いに係る手続きを仲介する機能を有している。物流支援部１０８は、取引成立後に、出品者と購入者との間で、医療機器の物流に係る手続きを仲介する機能を有している。書類作成部１０９は、取引設立後に、医療機器の名義変更に係る書類を作成する機能を有している。
【００２４】
薬事通知部１１１は、取引成立後に、医療機器の製造元に係るメーカーのメーカー端末４００に、取引情報を通知する機能を有している。これにより、薬事通知部１１１は、取引対象の医療機器メーカーから取引の承認を得るための手続きを代行することができる。また、薬事通知部１１１は、医療機器の点検・修理に関わる手続きも代行することができる。
【００２５】
次に、図２を参照して、本実施形態に係る取引支援・仲介システム１の処理内容を説明する。図２の処理は、取引支援・仲介システム１のサービスの稼働中に、所定のタイミングで繰り返し実行される。取引支援・仲介システム１は、会員管理処理から処理を開始する（ステップＳ１０）。この会員管理処理は、本システムを利用可能な会員の情報を管理する処理である。入会を希望するものが端末（出品者端末２００、購入者端末３００のいずれでもよい）を介して情報を入力すると、取引管理サーバ１００の会員管理部１０１は、当該会員情報を受信し、実際に取引を行うことができるか否かを判定後、会員として登録すると共に会員情報を記憶して情報管理する。ここに登録された会員は、出品者として医療機器を出品することができ、購入者として医療機器を購入することもできる。
【００２６】
次に、取引支援・仲介システム１は、いずれかの出品者（Ｓ１０で管理されているいずれかの会員）が出品したい医療機器の機器情報を入力することにより、在庫登録処理を実行する（ステップＳ２０）。在庫登録部１０２は、出品者端末２００からの機器情報を受信し、当該医療機器を取引可能な商品として登録すると共に、オークションにエントリーする。機器情報として、例えば、医療機器の型番、スペック、使用年数、外観の写真など、購入者が対象の医療機器の購入を判断するために必要な様々な情報が含まれる。
【００２７】
ここで、取引支援・仲介システム１は、登録された医療機器に対して、市場での相場情報を提供することができる（ステップＳ３０）。相場情報提供部１０４は、蓄積しておいた過去の取引情報に基づいて、Ｓ２０にて登録された医療機器の相場を演算する。例えば、相場情報提供部１０４は、取引の度に、取り扱った医療機器のタイプ、スペック、使用年数などの各種情報と、購入に係る価格を関連付けて記憶しておき、当該データを蓄積する。これにより、相場情報提供部１０４は、新たに登録された医療機器の査定基準（複数のチェック項目を有してよい）を構築することができる。相場情報提供部１０４は、登録された医療機器の相場を演算した後、当該相場情報を登録情報として医療機器の登録情報として在庫登録部１０２に記録してよい。また、当該相場情報を出品者や購入者に提供してよい。または、何れか一方のみに提供してもよい。
【００２８】
次に、取引支援・仲介システム１は、いずれかの購入者（Ｓ１０で管理されているいずれかの会員）が購入したい医療機器の希望を入力することにより、在庫検索処理を実行する（ステップＳ４０）。在庫検索部１０３は、購入者端末３００からの入力情報を受信し、購入者が希望する条件にあった医療機器を在庫登録部１０２に登録された医療機器の中から検索し、購入者に情報提供する。
【００２９】
取引支援・仲介システム１は、Ｓ４０で選択された医療機器について、オークション実行処理を行う（ステップＳ５０）。この処理は、出品者と購入者との間の取引を取引管理サーバ１００が仲介する処理であり、最終的に取引対象となる医療機器を購入できる購入者、及び価格を決定する処理である。すなわち、取引管理サーバ１００（当該取引管理サーバ１００を操作し、サービスを運営・管理するサービス管理者）が、取引対象に係る医療機器の価格・取引条件を調整し、出品者と購入者との間の仲介者として商談・仲介を促進する。
【００３０】
Ｓ５０で実行する取引のスタイルは、一般的なネットオークションのようなスタイルのみに限定されず、あらゆる方法を採用してよい。例えば、各購入者が入札価格を入力することで価格がセリ上がり、最高額を提示した購入者が購入できるスタイルでもよい。または、希望価格を提示し、セリ下がってゆき、初めに購入意思を示した購入者が購入できるスタイルでもよい。このとき、入札する購入者は、他の購入者の入札価格を見えるようにしても、見えないようにしてもよい。または、出品者が示す指値に入札価格が至った時点で直ちに購入決定としてもよい。または、出品者と購入者のそれぞれが希望価格を提示し（商談のように）お互いが合意できる価格になったときに購入決定としてもよい。なお、各スタイルにおいて、３０〜６０秒程度のリアルタイムオークションとしてもよく、１日〜数日間かけたオークションとしてもよい。
【００３１】
Ｓ５０の処理によって医療機器を購入できる購入者が決定したら、取引支援・仲介システム１は、決済処理（ステップＳ６０）、物流支援処理（ステップＳ７０）、書類作成処理（ステップＳ８０）、薬事通知処理（ステップＳ９０）を所定のタイミングにて実行する。Ｓ６０〜Ｓ９０の処理は、特に順序は関係なく、購入者決定後に所定のタイミングにてそれぞれ実行される。
【００３２】
Ｓ６０の決済処理は、取引管理サーバ１００を操作するサービス管理者が、購入者から代金を預かり、出品者への出金を行うための処理である。出品者と購入者の間の仲介者として、決済の完全性を担保することによって、取引の円滑化を進めることができる。決済部１０７は、取引成立後、決定した購入者の購入者端末３００に金額を通知し、購入者の入力により、代金を預かる。また、決済部１０７は、所定のタイミングで（例えば、購入者に医療機器が引き渡された後など）預かった代金を出品者へ渡し、出品者端末２００へ通知する。
【００３３】
Ｓ７０の物流支援処理は、取引支援・仲介システム１が、出品者と購入者との間の医療機器の引き取り・輸送などの物流関係の手続きを支援する処理である。物流支援部１０８は、例えば、引き取り日時、条件などを決定する。物流支援部１０８は、出品者端末２００または購入者端末３００から入力された希望日時などの情報に基づき、他方の合意を得た上で日時等を決定し、輸送の手配を行う。なお、当該物流は、購入者が医療機器を取りに行ってもよく、出品者が購入者のもとへ送ってもよい。更に、当該物流は、出品者が取引を円滑に行うために準備された倉庫に医療機器を送ってもよく、購入者は物流支援部１０８から通知された倉庫に医療機器を引き取りに行ってもよい。
【００３４】
Ｓ８０の書類作成処理は、取引支援・仲介システム１が、医療機器の名義変更に関わる書類作成を実施する処理である。書類作成部１０９は、Ｓ１０、Ｓ５０、Ｓ６０、Ｓ７０で取得した各情報に基づいて、当該書類を作成する。当該書類には、医療機器の元の所有者である出品者、新たな所有者となる購入者に関する情報などが記載される。
【００３５】
Ｓ９０の薬事通知処理は、当該取引が薬事法上の問題が無いか否かを、医療機器の製造元のメーカーに確認するため、取引情報を通知する処理である。医療機器の流通にあたって、薬事法にのっとって流通する必要がある。すなわち、医療機器の流通を前提に、製造元のメーカーに対して、その可否を確認する手続きが必要となる。また、（エンドユーザに販売する際）メーカーや修理業者による、医療機器の事前点検が必要となる。また、事前点検の結果による指示に従って、当該箇所を修理する必要がある（なお、修理行為そのものは修理業の免許が別途必要となる）。従って、取引支援・仲介システム１は、上述のような薬事法に関わる諸手続きを代行することによって、取引の円滑化を図ることができる。
【００３６】
具体的に、薬事通知部１１１は、メーカーのメーカー端末４００に、Ｓ１０、Ｓ５０、Ｓ６０、Ｓ７０で取得した各情報、及びＳ８０で作成した書類を送信する（または、現物の書面を送付するための処理をしてもよい）。このとき、薬事通知部１１１は、当該流通の承認・非承認をメーカーが入力できるようなフォームを、メーカー端末４００に送信しておくことが好ましい。当該承認の問い合わせは、取引成立後であって、出品者と購入者の医療機器の受け渡しの前に行うことが好ましい。薬事通知部１１１は、メーカー端末４００より承認を得た場合は、医療機器の物流の手配を進めるよう、物流支援部１０８に指示する。一方、非承認であった場合、出品者端末２００及び購入者端末３００に、承認がおりなかった旨の通知を送信する。また、薬事通知部１１１は、点検・修理の依頼等も、メーカー端末４００（または修理業者の端末）へ送信する。薬事通知部１１１は、点検・修理の日程などの情報を受信すると、出品者端末２００や購入者端末３００へ送信し、日程などの調整を仲介する。当該点検・修理は、最終ユーザーが使用の途にあてる前（多くの場合は納品前）に行われることが好ましい。
【００３７】
次に、本実施形態に係る取引支援・仲介システム１及び取引支援・仲介方法の作用・効果について説明する。
【００３８】
まず、医療機器は、車両などの一般的な商品とは違い、用途などが非常に限定されている上、薬事法上の理由などもあり出品者にとっては、所有している医療機器を他の者に販売するということが困難であった。従って、例えば中古の医療機器が発生しても、買い手を見つけることができず、廃棄処分している場合があった。または、買い手が居るとしても、身近な範囲で自己と面識のある相手の中から探す必要があり、極めて狭い範囲でしか取引を行うことはできなかった。例えば、医療機器の業者が、身近な病院や業者などを直接訪問し、交渉して取引を行うような場合が一般的であった。すなわち、従来の医療機器の流通市場は、市場範囲が非常に閉じられたものであり、互いに知っている者同士の出品者と購入者とが、直接取引をするスタイルが一般的であった。例え医療機器の製造元であるメーカーが医師や看護師などに対して、インターネットや電子メールを用いて販売情報の提供をするようなシステムがあったとしても、効果としてはメーカーと特定の医師等の間の狭い範囲にて直接取引を行うものである。
【００３９】
一方、本実施形態に係る取引支援・仲介システム１によれば、在庫登録部１０２が、複数の出品者のうち、いずれもの出品者の出品者端末２００から機器情報を受信し、在庫検索部１０３が、当該機器情報を、購入者の購入者端末３００に提供することができる。また、オークション実行部１０６は、複数の購入者の中から、取引対象に係る医療機器を購入できる購入者を決定する。取引支援・仲介システム１は、ネットワークＮＷを介して、広い範囲の出品者と購入者との間で、医療機器の取引を仲介することができる。これによって、出品者側としては、販売を希望している医療機器を、例えば、自己と直接取引をしたことがあるような購入者に限られず、広い範囲の購入者に対して販売可能となる。従って、身近には買い手が居ないような場合でも、買い手を見つけることが可能となる。また、身近に買い手が居るとしても、市場の広い範囲から、よりよい条件で購入してくれる買い手を見つけることが可能となる。一方、購入者側としては、広い範囲の出品者から、医療機器を購入することが可能となる。すなわち、必要な医療機器を、より良い価格・条件にて探し出すことが可能となる。また、出品者と購入者との間で取引を仲介することによって、両者が直接取引を行う場合に比して、取引の円滑化を図ることができる。以上によって、広い範囲で円滑な医療機器の取引を行うことが可能となる。
【００４０】
また、医療機器は、非常に精密な機器であるため、例えば実際のオークション会場などに持ち込んで取引を行い、その後更に購入者の元に輸送する場合、輸送中に医療機器がダメージを受けるリスクが高まる。しかし、取引支援・仲介システム１は、出品者と購入者との間で機器情報などの情報のみの流通をネットワークＮＷ上で事前に行い、取引成立後に、医療機器の流通を行うことができる。このように、医療機器の輸送を必要最小限に留めることが可能となる。
【００４１】
特に、中古の医療機器を所有し、買い手を見つけることができない出品者にとっては、従来、処分費用や手続費用を伴って処分していたものを、取引支援・仲介システム１を利用することによって、相場価格で売却可能になるばかりか、当該医療機器を特に必要としている買い手を見つけた場合には、更に高い価格にて売却可能になる。このように、取引支援・仲介システム１は、資産価値形成機能を提供することができる。
【００４２】
また、医療機器の取扱業者のうち、中古医療機器を取り扱うものは地域毎に多く存在しているわけではなく、更に地域外交流も少ない傾向にある。しかし、地域内の個人レベルで取引を行っていたものを、取引支援・仲介システム１を利用することによって、地域を超えたネットワークにて取引が可能となる。これにより、市場情報の取得・収集が容易となることで、取引支援・仲介システム１は、マーケティング情報の発信機能を提供することができる。
【００４３】
取引支援・仲介システム１は、医療機器情報の需要と供給の調整機能を有し、仲介を実現させている。これにより、取引支援・仲介システム１は、仲介機能を提供することができる。
【００４４】
また、取引支援・仲介システム１の相場情報提供部１０４は、過去の取引に基づいて、医療機器の相場に関する情報を演算することができる。このように、医療機器という特殊な取引商品についても、市場での相場を演算することが可能となり、取引を一層円滑に行うことができる。これにより、取引支援・仲介システム１は、相場機能を提供することができる。
【００４５】
また、取引支援・仲介システム１は、取引成立後、薬事通知部１１１によって、医療機器の製造元に係るメーカーのメーカー端末４００に取引情報を通知することができる。医療機器の取引を行う場合、薬事法上の理由により、製造元に係るメーカーに承認を得る必要があるが、薬事通知部１１１が当該メーカーのメーカー端末４００に取引情報を通知することにより、出品者・購入者に代わって、承認に関わる手続きを代行することが可能となる。これにより、取引の実績の無い出品者・購入者も容易に医療機器の購入や販売を行うことが可能となり、円滑な取引を提供することができる。
【００４６】
本発明は、上述の実施形態に限定されるものではなく、発明の趣旨の範囲で適宜変更することができる。
【符号の説明】
【００４７】
１…取引支援・仲介システム、１００…取引管理サーバ、１０２…在庫登録部（機器情報受信部）、１０３…在庫検索部（機器情報提供部）、１０４…相場情報提供部（相場情報演算部）、１０６…オークション実行部（購入者決定部）、１１１…薬事通知部（通知部）、２００…出品者端末、３００…購入者端末、４００…メーカー端末。
【図１】
2013088919.tif 000003
【図２】
2013088919.tif 000004